(57)【要約】【課題】同数の電磁弁を備え、マニホールドベースの幅方向に一つ又は二つの電磁弁を備える電磁弁マニホールドに比してマニホールドベースの長さ方向へ小型化することができる電磁弁マニホールドを提供する。【解決手段】電磁弁マニホールド１０は、マニホールドベース１２の幅方向に並設される二つの電磁弁取付部２２を備えるとともに、各電磁弁取付部２２においてマニホールドベース１２の幅方向に背向する側面には電磁弁取付面２２ａが設けられている。一つの電磁弁取付部２２で背向する一対の電磁弁取付面２２ａに開口する給気口２２ｃには、両給気口２２ｃ同士で共通化された一つの給気通路２４が連通するとともに、一つの電磁弁取付部２２で背向する一対の電磁弁取付面２２ａに開口する排気口２２ｄには、両排気口２２ｄ同士で共通化された排気通路２５が連通している。【選択図】図１
2008215400.tif 000002
【特許請求の範囲】
【請求項１】
マニホールドベースの幅方向に並設されるとともにマニホールドベースの長さ方向に延びる複数の電磁弁取付部を備え、各電磁弁取付部においてマニホールドベースの幅方向に背向する側面には電磁弁取付面が設けられ、各電磁弁取付面には少なくとも給気口及び出力口が開口するとともに、前記幅方向に並設された複数の電磁弁取付面のうちの少なくとも三つに電磁弁が取り付けられ、さらに、各電磁弁への給電装置を備える電磁弁マニホールド。
【請求項２】
前記一つの電磁弁取付部で背向する一対の電磁弁取付面に開口する両給気口は共通化されるとともに一つの給気通路に連通している請求項１に記載の電磁弁マニホールド。
【請求項３】
前記電磁弁は軸方向における第１端部が前記マニホールドベースに対向するとともに、電磁弁の軸方向がマニホールドベースの長さ方向に対し直交するように電磁弁取付面に取り付けられ、前記給電装置は、前記電磁弁の軸方向において前記第１端部の反対側となる第２端部より電磁弁の軸方向に沿って離れた位置に配置される請求項１又は請求項２に記載の電磁弁マニホールド。
【請求項４】
前記給電装置には、電磁弁への給電状態を表示する表示装置が電磁弁毎に設けられる請求項１〜請求項３のうちいずれか一項に記載の電磁弁マニホールド。
【請求項５】
前記マニホールドベースは、複数のベース体をマニホールドベースの長さ方向に接続してなるとともに、前記電磁弁取付部は、複数の取付アダプタをマニホールドベースの長さ方向に接続してなり、前記電磁弁マニホールドは、前記ベース体に複数の取付アダプタを取り付けるとともに、複数の取付アダプタの電磁弁取付面のうちの少なくとも三つに電磁弁を取り付けてなる複合型電磁弁をマニホールドベースの長さ方向に複数接続して形成される請求項１〜請求項４のうちいずれか一項に記載の電磁弁マニホールド。
【請求項６】
前記複合型電磁弁の平面形状と略同形状をなす給電装置を複合型電磁弁毎に備える請求項５に記載の電磁弁マニホールド。
【発明の詳細な説明】
【技術分野】
【０００１】
本発明は、マニホールドベースの幅方向に少なくとも三つの電磁弁を一体に備えた電磁弁マニホールドに関する。
【背景技術】
【０００２】
一般的に知られている電磁弁マニホールドは、マニホールドベース上に該マニホールドベースの長さ方向に多数の電磁弁を並設してなり、マニホールドベース内に圧力流体を給排すると共に、該マニホールドベース又は電磁弁自体に出力配管を接続して構成されている。しかし、電磁弁マニホールドは、多数の電磁弁を一列で並設しているため、電磁弁マニホールドは少なくとも電磁弁の幅に電磁弁数を乗じた長さを必要とする。このため、電磁弁数が多くなると電磁弁マニホールドが長大化してしまい、電磁弁マニホールドの一層の小型化が望まれていた。
【０００３】
特許文献１には、マニホールドベースを改善することにより、多数の電磁弁の集約的搭載を実現し、電磁弁マニホールドの小型化を図った技術が開示されている。図１０に示すように、マニホールドベース８０は電磁弁取付ボディ８２が立設されてなり、電磁弁取付ボディ８２の背向する側面に電磁弁取付面８３を備える。各電磁弁取付面８３には圧力流体の給排を行う流路の開口８３ａが形成されている。各開口８３ａは、電磁弁取付ボディ８２内の流路を経て基盤８１の下面に設けられた管接手８４に連通している。そして、前記電磁弁取付ボディ８２の各電磁弁取付面８３に電磁弁８５を取り付けると、マニホールドベース８０の幅方向に二つの電磁弁８５が並設されるとともに、長さ方向に多数の電磁弁８５が並設される。このため、例えば、マニホールドベース８０の長さ方向に多数の電磁弁８５を一列に並設した場合に比して電磁弁マニホールドの長さ方向への長さを半分にすることができる。
【特許文献１】特開２００４−１１８５８号公報
【発明の開示】
【発明が解決しようとする課題】
【０００４】
ところが、特許文献１に開示の技術においては、マニホールドベース８０の幅方向に二つの電磁弁８５が並設されるだけである。このため、マニホールドベース８０の長さ方向に沿った電磁弁マニホールドの長さは長く、さらなる電磁弁マニホールドの長さ方向への小型化が望まれていた。
【０００５】
この発明は、このような従来技術に存在する問題点に着目してなされたものであり、その目的は、同数の電磁弁を備え、マニホールドベースの幅方向に一つ又は二つの電磁弁を備える電磁弁マニホールドに比してマニホールドベースの長さ方向へ小型化することができる電磁弁マニホールドを提供することにある。
【課題を解決するための手段】
【０００６】
上記問題点を解決するために、請求項１に記載の発明は、マニホールドベースの幅方向に並設されるとともにマニホールドベースの長さ方向に延びる複数の電磁弁取付部を備え、各電磁弁取付部においてマニホールドベースの幅方向に背向する側面には電磁弁取付面が設けられ、各電磁弁取付面には少なくとも給気口及び出力口が開口するとともに、前記幅方向に並設された複数の電磁弁取付面のうちの少なくとも三つに電磁弁が取り付けられ、さらに、各電磁弁への給電装置を備えることを要旨とする。
【０００７】
請求項２に記載の発明は、請求項１に記載の電磁弁マニホールドにおいて、前記一つの電磁弁取付部で背向する一対の電磁弁取付面に開口する両給気口は共通化されるとともに一つの給気通路に連通していることを要旨とする。
【０００８】
請求項３に記載の発明は、請求項１又は請求項２に記載の電磁弁マニホールドにおいて、前記電磁弁は軸方向における第１端部が前記マニホールドベースに対向するとともに、電磁弁の軸方向がマニホールドベースの長さ方向に対し直交するように電磁弁取付面に取り付けられ、前記給電装置は、前記電磁弁の軸方向において前記第１端部の反対側となる第２端部より電磁弁の軸方向に沿って離れた位置に配置されることを要旨とする。
【０００９】
請求項４に記載の発明は、請求項１〜請求項３のうちいずれか一項に記載の電磁弁マニホールドにおいて、前記給電装置には、電磁弁への給電状態を表示する表示装置が電磁弁毎に設けられることを要旨とする。
【００１０】
請求項５に記載の発明は、請求項１〜請求項４のうちいずれか一項に記載の電磁弁マニホールドにおいて、前記マニホールドベースは、複数のベース体をマニホールドベースの長さ方向に接続してなるとともに、前記電磁弁取付部は、複数の取付アダプタをマニホールドベースの長さ方向に接続してなり、前記電磁弁マニホールドは、前記ベース体に複数の取付アダプタを取り付けるとともに、複数の取付アダプタの電磁弁取付面のうちの少なくとも三つに電磁弁を取り付けてなる複合型電磁弁をマニホールドベースの長さ方向に複数接続して形成されることを要旨とする。
【００１１】
請求項６に記載の発明は、請求項５に記載の電磁弁マニホールドにおいて、前記複合型電磁弁の平面形状と略同形状をなす給電装置を複合型電磁弁毎に備えることを要旨とする。
【発明の効果】
【００１２】
本発明によれば、同数の電磁弁を備え、マニホールドベースの幅方向に一つ又は二つの電磁弁を備える電磁弁マニホールドに比してマニホールドベースの長さ方向へ小型化することができる。
【発明を実施するための最良の形態】
【００１３】
（第１の実施形態）
以下、本発明を具体化した電磁弁マニホールドの第１の実施形態を図１〜図５にしたがって説明する。
【００１４】
図１及び図２に示すように、電磁弁マニホールド１０は、マニホールドベース１２に取り付けられた取付アダプタ２０に複数の電磁弁４０が取り付けられてなる。なお、図２において、電磁弁４０に付された数字は電磁弁マニホールド１０に取り付けられる電磁弁４０の番号を示している。図２に示すように、前記マニホールドベース１２は矩形板状をなし、図５に示すように、マニホールドベース１２の側面（下面）において、長さ方向の中央となる位置には給気ポート１３と、排気ポート１４がマニホールドベース１２の幅方向に並んで１つずつ開口している。図４に示すように、給気ポート１３には継手１３ａが接続され、該継手１３ａに接続された配管（図示せず）を介して供給源から正圧空気が供給される。また、前記排気ポート１４には継手（図示せず）が接続され、該継手には排気用配管が接続される。
【００１５】
また、図１に示すように、マニホールドベース１２の側面（下面）において、マニホールドベース１２の長さ方向及び幅方向に沿って複数の出力ポート１５が開口している。図４に示すように、各出力ポート１５には継手１５ａが接続され、該継手１５ａに接続された配管を介してエアシリンダー等の流体圧機器が接続される。
【００１６】
図２及び図５に示すように、マニホールドベース１２の側面（上面）には、２つの取付アダプタ２０がマニホールドベース１２の幅方向に並んで取り付けられている。各取付アダプタ２０は、平面視矩形状をなす基部２１を備えるとともに、該基部２１の長さ方向へ延びるように基部２１の幅方向中央から立設された電磁弁取付部２２を備えてなる。図５に示すように、両取付アダプタ２０の電磁弁取付部２２において、前記給気ポート１３及び排気ポート１４と対向する位置には、給気側連通路１６ｂ及び排気側連通路１６ｃが形成されている。そして、マニホールドベース１２に取付アダプタ２０が取り付けられた状態では、給気ポート１３に給気側連通路１６ｂが連通し、排気ポート１４に排気側連通路１６ｃが連通している。  
【００１７】
取付アダプタ２０がマニホールドベース１２に取り付けられた状態では、電磁弁取付部２２はマニホールドベース１２の幅方向に隣り合うように立設されている。そして、各電磁弁取付部２２において、マニホールドベース１２の幅方向に背向する側面により電磁弁取付面２２ａが形成されている。本実施形態では、４つの電磁弁取付面２２ａがマニホールドベース１２の幅方向に並設されるとともに、複数の電磁弁取付面２２ａがマニホールドベース１２の長さ方向に並設されている。各電磁弁取付部２２には、マニホールドベース１２の長さ方向に沿って電磁弁取付部２２を貫通するように延びる一本の給気通路２４が形成され、この給気通路２４は給気側連通路１６ｂに連通している。
【００１８】
また、図１に示すように、電磁弁取付部２２には、給気通路２４に連通し、かつ、背向する一対の電磁弁取付面２２ａに開口する給気口２２ｃが形成されている。すなわち、電磁弁取付部２２の幅方向の中央を貫通する給気通路２４から各電磁弁取付面２２ａに向けて給気口２２ｃが分岐している。
【００１９】
各電磁弁取付部２２には、マニホールドベース１２の長さ方向に沿って電磁弁取付部２２を貫通するように延びる一本の排気通路２５が形成され（図５参照）、この排気通路２５は排気側連通路１６ｃに連通している。また、電磁弁取付部２２には、排気通路２５に連通し、かつ、背向する一対の電磁弁取付面２２ａに開口する排気口２２ｄが形成されている。すなわち、電磁弁取付部２２の幅方向の中央を貫通する排気通路２５から各電磁弁取付面２２ａに向けて排気口２２ｄが分岐している。
【００２０】
各電磁弁取付部２２において、背向する一対の電磁弁取付面２２ａには出力口２２ｅが開口している。電磁弁取付部２２には、各出力口２２ｅに連通する出力通路２６が電磁弁取付部２２の立設方向に貫通して形成されている。そして、出力口２２ｅは出力通路２６を介して出力ポート１５に連通している。
【００２１】
各電磁弁取付面２２ａには電磁弁４０がねじ止めによって取り付けられている。電磁弁４０の長さ方向を電磁弁４０の軸方向としたとき、電磁弁４０は軸方向の第１端部４０ｅがマニホールドベース１２に対向するように取り付けられている。なお、電磁弁４０において、軸方向における前記第１端部４０ｅの反対側を第２端部４０ｆとする。この取付状態では、電磁弁４０の給気孔４０ａは電磁弁取付面２２ａの給気口２２ｃに連通し、電磁弁４０の排気孔４０ｂは電磁弁取付面２２ａの排気口２２ｄに連通している。また、電磁弁４０の出力孔４０ｃは電磁弁取付面２２ａの出力口２２ｅに連通している。そして、マニホールドベース１２の幅方向に四つの電磁弁４０が一列に配設されている。
【００２２】
各取付アダプタ２０の背向する電磁弁取付面２２ａに取り付けられた一対の電磁弁４０において、両電磁弁４０から延びるリード端子Ｌは集中コネクタ３０に電気的に接続されている（図２参照）。前記集中コネクタ３０は、各取付アダプタ２０の上側に設けられ、一対の電磁弁４０の第２端部４０ｆの間に配設されている。そして、マニホールドベース１２の幅方向に四つの集中コネクタ３０を一体に備えている。
【００２３】
複数の電磁弁４０の軸方向において、前記第１端部４０ｅと反対側の第２端部４０ｆ（上端部）の外側（上側）には、電気基板３１が配設されている。図３に示すように、電気基板３１には前記集中コネクタ３０に接続可能なコネクタ３２が複数設けられ、電気基板３１とコネクタ３２によって給電装置Ｓが形成されている。そして、コネクタ３２には集中コネクタ３０が電気的に接続され、電磁弁４０の軸方向に沿って電磁弁４０の第２端部４０ｆから外側（上側）へ離れた位置に給電装置Ｓが配設されている。
【００２４】
電磁弁マニホールド１０において、マニホールドベース１２の長さ方向の両側には給電ブロック３５が接続されている。各給電ブロック３５には、給電端子３６が設けられ、給電端子３６に接続される図示しない多極ケーブルを介して電気基板３１に給電がなされるとともに、電気基板３１から各電磁弁４０のソレノイドコイル４１（図１参照）へ給電されるようになっている。また、電気基板３１には、各電磁弁４０に対応した数だけＬＥＤよりなる表示装置３７が設けられ、ソレノイドコイル４１への給電時には表示装置３７が点灯し、非給電時には表示装置３７が消灯するようになっている。
【００２５】
図１に示すように、電磁弁マニホールド１０は、マニホールドベース１２上に配設された取付アダプタ２０、電磁弁４０、及び給電装置Ｓを覆うようにマニホールドベース１２に取り付けられるカバー３８を備えている。このカバー３８は透明又は半透明材料よりなり、前記表示装置３７の点灯又は消灯がカバー３８を介して視認可能になっている。
【００２６】
そして、各電磁弁４０は、ソレノイドコイル４１への通電により移動するプランジャー４２の動作により、弁体４３が僅かに移動する。すると、給気孔４０ａと出力孔４０ｃが連通されるとともに、排気孔４０ｂを封止する状態と、排気孔４０ｂと出力孔４０ｃが連通し、給気孔４０ａを封止する状態とのいずれかが選択される。
【００２７】
すなわち、ソレノイドコイル４１が励磁されると、プランジャー４２が移動し、弁体スプリング４４の付勢力により弁体４３が同方向へ僅かに移動する。すると、給気孔４０ａと出力孔４０ｃとが連通されるとともに、排気孔４０ｂに対する給気孔４０ａ及び出力孔４０ｃの連通は遮断される。この結果、給気ポート１３と出力ポート１５とが連通し、排気ポート１４は給気ポート１３及び出力ポート１５に対し遮断される状態となる。この状態では給気ポート１３に供給される正圧空気が出力ポート１５から流体圧機器に供給される。
【００２８】
また、ソレノイドコイル４１が励磁されない状態では、コイルスプリング４５の付勢力によりプランジャー４２が弁体４３を押圧する状態となって、給気孔４０ａが封止され、排気孔４０ｂと出力孔４０ｃとが連通する状態となる。この状態では出力ポート１５と排気ポート１４とが連通されて、流体圧機器から出力ポート１５に排出される排気圧が排気ポート１４に排出される。
【００２９】
上記のように構成された電磁弁マニホールド１０において、電磁弁取付部２２には、背向する一対の電磁弁取付面２２ａに開口する給気口２２ｃが形成されている。そして、二つの給気口２２ｃは共通化されるとともに一つの給気通路２４が連通している。すなわち、各電磁弁４０の給気孔４０ａに連通する給気通路２４は、背向する一対の電磁弁４０の間で一つに共通化されている。したがって、一本の給気通路２４を通過した正圧空気が電磁弁取付部２２内で電磁弁取付面２２ａに向けて二方向に分岐され、各給気口２２ｃから各電磁弁４０の給気孔４０ａに供給される。
【００３０】
また、電磁弁取付部２２には、背向する一対の電磁弁取付面２２ａに開口する排気口２２ｄが形成されている。そして、二つの排気口２２ｄは共通化されるとともに一つの排気通路２５が連通している。すなわち、各電磁弁４０の排気孔４０ｂに連通する排気通路２５は、背向する一対の電磁弁４０の間で一つに共通化されている。したがって、各電磁弁４０の排気孔４０ｂから排出された排気圧は、一本の排気通路２５に合流し、該排気通路２５を介して排気ポート１４から大気へ排出される。
【００３１】
上記実施形態によれば、以下のような効果を得ることができる。
（１）マニホールドベース１２の幅方向に二つの取付アダプタ２０を並設し、前記幅方向に背向する電磁弁取付面２２ａに電磁弁４０を取り付け、マニホールドベース１２の幅方向に四つの電磁弁４０を並設した。よって、同数の電磁弁４０をマニホールド化したとき、マニホールドベース１２の幅方向へ四つの電磁弁４０を並設することで、一つ又は二つの電磁弁４０を幅方向へ並設するのに比してマニホールドベース１２を長さ方向へ小型化することができる。
【００３２】
（２）マニホールドベース１２の幅方向に二つの取付アダプタ２０を並設し、前記幅方向に背向する電磁弁取付面２２ａに電磁弁４０を取り付け、マニホールドベース１２の幅方向に四つの電磁弁４０を並設した。この電磁弁マニホールド１０において、背向する対の電磁弁４０の給気孔４０ａ及び排気孔４０ｂに連通する給気通路２４及び排気通路２５は、背向する一対の電磁弁４０の間で一つに共通化されている。このため、背向する一対の電磁弁４０の間で二つの給気口２２ｃ及び排気口２２ｄそれぞれに連通するように電磁弁取付部２２に給気通路２４及び排気通路２５を形成する場合に比して、電磁弁取付部２２を小型化することができる。よって、同数の電磁弁４０をマニホールド化したとき、マニホールドベース１２の幅方向へ四つの電磁弁４０を並設することで、一つ又は二つの電磁弁４０を幅方向へ並設するのに比してマニホールドベース１２の長さ方向への長さを短くすることができる。その上、マニホールドベース１２の幅方向へ四つの電磁弁４０を並べた構成であっても、給気通路２４及び排気通路２５の共通化により、該幅方向へのサイズが大型化することを抑制することができる。
【００３３】
（３）マニホールドベース１２の幅方向に背向する対の電磁弁４０の間に集中コネクタ３０が配設され、該集中コネクタ３０に接続可能な電気基板３１を備えた電気基板３１は複数の電磁弁４０の上側に配設されている。このため、背向する電磁弁４０の間に電気基板３１を配設する場合に比して、背向する電磁弁４０間の長さを短くすることができ、マニホールドベース１２の幅方向に沿ったサイズの大型化を抑制することができる。
【００３４】
（４）電気基板３１には、各電磁弁４０に対応して表示装置３７が設けられている。このため、例えば、給電ブロック３５に集中して表示装置３７を設ける場合に比して、通電状態にある電磁弁４０を正確に視認することができる。
【００３５】
（５）電磁弁取付部２２に形成する給気通路２４及び排気通路２５はそれぞれ一本ずつとなっている。このため、例えば、給気通路２４及び排気通路２５を電磁弁取付部２２に二本ずつ形成する場合に比して、電磁弁取付部２２ひいては電磁弁マニホールド１０の製造コストを抑えることができる。
【００３６】
（６）マニホールドベース１２の幅方向に四つの電磁弁４０が並設されている。そして、マニホールドベース１２は矩形状をなし該マニホールドベース１２には給気ポート１３、排気ポート１４及び出力ポート１５が一体に設けられている。さらに、マニホールドベース１２には取付アダプタ２０が取り付けられ、各取付アダプタ２０の電磁弁取付面２２ａに複数の給気口２２ｃ、排気口２２ｄ、及び出力口２２ｅが複数開口している。よって、電磁弁取付面２２ａに電磁弁４０を取り付けるだけで電磁弁マニホールド１０を形成することができ、電磁弁マニホールド１０を容易に形成することができる。
【００３７】
（第２の実施形態）
次に、本発明を具体化した電磁弁マニホールドの第２の実施形態を図６及び図７にしたがって説明する。なお、以下に説明する実施形態は、既に説明した実施形態と同一構成については同一符号を付すなどして、その重複する説明を省略又は簡略する。
【００３８】
図６に示すように、第２の実施形態の電磁弁マニホールド７０は、複合型電磁弁６０をマニホールドベースの長さ方向に複数接続して形成されている。図７に示すように、前記複合型電磁弁６０は、細長板状をなすベース体５９に複数（二つ）の取付アダプタ６２を取り付けるとともに、取付アダプタ６２から立設された電磁弁取付部６３において、ベース体５９の幅方向に背向する一対の電磁弁取付面６３ａに電磁弁４０が取り付けられてなる。すなわち、複合型電磁弁６０は、各取付アダプタ６２が備える電磁弁取付部６３に二つずつ電磁弁４０が取り付けられ、計四つの電磁弁４０を一体に備えてなる。そして、図示しないが、背向する対の電磁弁４０の給気孔４０ａ及び排気孔４０ｂはそれぞれ共通化され、さらに、給気孔４０ａ及び排気孔４０ｂに連通する給気通路２４及び排気通路２５は、背向する一対の電磁弁４０の間で一つに共通化されている。
【００３９】
図６及び図７に示すように、複合型電磁弁６０において、四つの電磁弁４０の第２端部４０ｆより上側には、複合型電磁弁６０の平面形状と同形状をなす給電装置Ｓが配設されている。給電装置Ｓは、複合型電磁弁６０の平面形状と同形状をなす分割電気基板６４と、該分割電気基板６４に電気的に接続された接続コネクタ６５とからなる。そして、複数の複合型電磁弁６０同士を連接させ、ベース体５９同士を接続するとともに取付アダプタ６２同士を接続する。そして、給気通路２４同士及び排気通路２５同士を連通させるとともに、接続コネクタ６５同士を電気的に接続させる。すると、接続された複数のベース体５９によってマニホールドベースが形成されるとともに、接続された複数の電磁弁取付部６３によってマニホールドベースの長さ方向に沿って複数の電磁弁取付面６３ａが形成されている。
【００４０】
さらに、複合型電磁弁６０同士の接続方向の端部となる複合型電磁弁６０に給電ブロック３５を接続し、給電端子３６に多極ケーブルを電気的に接続する。すると、複数のベース体５９及び取付アダプタ６２が一体化されるとともに、複数の複合型電磁弁６０が一体化された電磁弁マニホールド７０が形成される。
【００４１】
したがって、上記第２の実施形態によれば、第１の実施形態の効果（１）〜（４）と同様の効果に加えて以下に示す効果を得ることができる。
（６）電磁弁マニホールド７０を複数の複合型電磁弁６０を接続して形成した。このため、必要とする電磁弁４０の数に合わせた電磁弁マニホールド７０を容易に形成することができる。
【００４２】
（第３の実施形態）
次に、本発明を具体化した電磁弁マニホールドの第３の実施形態を図８にしたがって説明する。なお、以下に説明する実施形態は、既に説明した実施形態と同一構成については同一符号を付すなどして、その重複する説明を省略又は簡略する。
【００４３】
図８に示すように、第３の実施形態の電磁弁マニホールド７１において、マニホールドベース１２内には給気通路２４及び排気通路２５がマニホールドベース１２の長さ方向へ延びるように形成されている。そして、マニホールドベース１２内で給気ポート１３に給気通路２４が連通し、排気ポート１４に排気通路２５が連通している。また、マニホールドベース１２の側面（上面）には、マニホールドベース１２の長さ方向及び幅方向へのサイズがほぼ同じに形成されたアダプタ７２が取り付けられている。このアダプタ７２には前記取付アダプタ２０がマニホールドベース１２の幅方向に二つ取り付けられている。
【００４４】
電磁弁取付部２２の電磁弁取付面２２ａには、マニホールドベース１２の長さ方向に沿って複数の給気口２２ｃ、排気口２２ｄ、及び出力口２２ｅが形成されている。マニホールドベース１２、アダプタ７２、及び電磁弁取付部２２には、前記給気通路２４と給気口２２ｃとを連通する供給通路７３が複数形成されるとともに、排気通路２５と排気口２２ｄとを連通する排出通路７４が複数形成されている。すなわち、背向する電磁弁取付面２２ａに開口する二つの給気口２２ｃに対して一つの供給通路７３が連通し、背向する電磁弁取付面２２ａに開口する二つの排気口２２ｄに対して一つの排出通路７４が連通している。したがって、電磁弁取付部２２には、対となる電磁弁取付面２２ａの数だけ供給通路７３及び供給通路７３が形成されている。
【００４５】
そして、背向する電磁弁取付面２２ａに開口し、共通化された給気口２２ｃには供給通路７３を介して一つの給気通路２４が連通しており、電磁弁取付面２２ａに開口し、共通化された排気口２２ｄには排出通路７４を介して一つの排気通路２５が連通している。
【００４６】
また、第３の実施形態の電磁弁マニホールド７１において、電磁弁４０の軸方向に延びる側面の外側には、電磁弁４０の側面形状と同形状をなす給電装置Ｓが配設されている。給電装置Ｓは電磁弁４０に取り付けられた給電装置カバー７７によって覆われている。この給電装置Ｓは、電磁弁４０の側面形状と同形状をなす分割電気基板７５と、リード端子Ｌを介して分割電気基板７５に電気的に接続された接続コネクタ７６とからなる。接続コネクタ７６は電磁弁４０の第１端部４０ｅ側に設けられるとともに、電磁弁４０とアダプタ７２との間に配設されている。接続コネクタ７６はアダプタ７２に形成された配線ダクト７２ａに臨み、該配線ダクト７２ａには前記接続コネクタ７６に電気的に接続された配線（図示せず）が収容されている。配線ダクト７２ａはマニホールドベース１２の長さ方向へ延びている。そして、複数の電磁弁４０から延びる配線は、配線ダクト７２ａに収容され、配線ダクト７２ａで集約されて給電ブロック３５に電気的に接続されている。
【００４７】
したがって、上記第３の実施形態によれば、以下に示す効果を得ることができる。
（７）電磁弁４０の側面に給電装置Ｓを取り付け、該給電装置Ｓを給電装置カバー７７で覆うとともに給電装置Ｓの接続コネクタ７６を電磁弁４０とアダプタ７２の間に配設した。そして、アダプタ７２に設けた配線ダクト７２ａに配線を収容することで、配線を電磁弁マニホールド７１内に収容することができる。よって、電磁弁マニホールド７１外に配線が露出する場合のように、漏電や短絡が発生することを防止することができる。
【００４８】
なお、本実施形態は以下のように変更してもよい。
○  図９に示すように、電磁弁マニホールド１０，７０，７１（図９では電磁弁マニホールド１０のみ図示する）において、二つの取付アダプタ２０，６２のうちいずれか一方に電磁弁４０を一つだけ取り付け、マニホールドベース１２の幅方向に三つの電磁弁４０を一体に備えたものとしてもよい。この場合、一つだけ電磁弁４０が取り付けられる取付アダプタ２０，６２において、電磁弁４０が取り付けられない電磁弁取付面２２ａ，６３ａに開口する給気口２２ｃ、排気口２２ｄ及び出力口２２ｅは閉塞部材６６によって閉塞される。
【００４９】
○  第１及び第２の実施形態において、電磁弁取付面２２ａに排気口２２ｄを開口させず、電磁弁４０の側面に開口させるとともに、電磁弁取付部２２における排気通路２５及び排気側連通路１６ｃを削除してもよい。この場合、電磁弁取付面２２ａには給気口２２ｃ及び出力口２２ｅが開口し、一つの電磁弁取付部２２で背向する一対の電磁弁取付面２２ａに開口する両給気口２２ｃが共通化されるとともに一つの給気通路２４に連通している。
【００５０】
○  第３の実施形態において、電磁弁取付部２２の上端面に排気口２２ｄに連通する排気通路を開口させ、排気通路２５及び排出通路７４を削除してもよい。
○  マニホールドベース１２の幅方向へのサイズを大きくし、該幅方向に三つ以上の取付アダプタ２０，６２を並設し、幅方向に五つ以上の電磁弁４０を取り付けて電磁弁マニホールド１０，７０，７１を構成してもよい。
【図面の簡単な説明】
【００５１】
【図１】第１の実施形態の電磁弁マニホールドを示す断面図。
【図２】電磁弁マニホールドの給電装置を除いた状態を示す平面図。
【図３】給電装置を備えた電磁弁マニホールドを示す平面図。
【図４】電磁弁マニホールドを示す側面図。
【図５】マニホールドベース上の取付アダプタを示す断面図。
【図６】第２の実施形態の電磁弁マニホールドを示す平面図。
【図７】複合型電磁弁を示す部分断面図。
【図８】第３の実施形態の電磁弁マニホールドを示す断面図。
【図９】別例の電磁弁マニホールドを示す断面図。
【図１０】背景技術の電磁弁マニホールドを示す断面図。
【符号の説明】
【００５２】
Ｓ…給電装置、１０，７０，７１…電磁弁マニホールド、１２…マニホールドベース、２０，６２…取付アダプタ、２２，６３…電磁弁取付部、２２ａ，６３ａ…電磁弁取付面、２２ｃ…給気口、２２ｅ…出力口、２４…給気通路、３７…表示装置、４０…電磁弁、４０ｅ…第１端部、４０ｆ…第２端部、５９…ベース体、６０…複合型電磁弁。
【図１】
2008215400.tif 000003
【図２】
2008215400.tif 000004
【図３】
2008215400.tif 000005
【図４】
2008215400.tif 000006
【図５】
2008215400.tif 000007
【図６】
2008215400.tif 000008
【図７】
2008215400.tif 000009
【図８】
2008215400.tif 000010
【図９】
2008215400.tif 000011
【図１０】
2008215400.tif 000012